(57)【要約】【課題】遊技盤交換時の作業性を向上させるとともに、平面視で小さな面積の第２収容ケース上に大きな面積の第１収容ケースを安定して積層させ、且つ、小スペースにて積層させ製造コストを低減させ得るパチンコ遊技機を提供する。【解決手段】主基板、ランプ制御基板及び音声制御基板を備えるとともに、主基板、ランプ制御基板及び音声制御基板を一体化された収容ケースに収容しユニットとしたパチンコ遊技機であって、収容ケースは、主基板を収容する第１収容ケース１４と、ランプ制御基板及び音声制御基板を収容する第２収容ケース１５とから成り、第２収容ケース１５の一部を延設させるとともに、その延設部を含めた当該第２収容ケース１５上面を平坦な面とし、当該上面に第１収容ケース１４を積層させて一体化することによりユニット７としたものである。【選択図】　図５
2004081401.tif 000002
【特許請求の範囲】
【請求項１】
遊技内容を制御する主基板と、
前記主基板からの信号に基づいてランプを制御するランプ制御基板と、
前記主基板からの信号に基づいてスピーカからの出力を制御する音声制御基板と、
を備えるとともに、前記主基板、ランプ制御基板及び音声制御基板を一体化された収容ケースに収容しユニットとしたパチンコ遊技機であって、
前記収容ケースは、前記主基板を収容する第１収容ケースと、前記ランプ制御基板及び音声制御基板を収容する第２収容ケースとから成り、前記第２収容ケースの一部を延設させるとともに、その延設部を含めた当該第２収容ケース上面を平坦な面とし、当該上面に前記第１収容ケースを積層させて一体化することによりユニットとしたことを特徴とするパチンコ遊技機。
【請求項２】
前記第２収容ケースは、ランプ制御基板及び音声制御基板を収容する収容空間の底面を成す底板と、当該収容空間を上方から覆う上面板とを有し、前記底板を延設させて延設部を形成し、該延設部が前記上面板の上面と略平面状に形成されたことを特徴とする請求項１記載のパチンコ遊技機。
【請求項３】
前記延設部を含めた前記第２収容ケース上面には、前記第１収容ケースを積層状態にて係止する係止部材が設けられたことを特徴とする請求項１又は請求項２記載のパチンコ遊技機。
【発明の詳細な説明】
【０００１】
【発明の属する技術分野】
本発明は、遊技内容を制御する主基板やそれと接続されたランプ制御基板及び音声制御基板を具備したパチンコ遊技機に関するものである。
【０００２】
【従来の技術】
パチンコ遊技機は、一般に、機枠に対して開閉可能に取り付けられた前面枠を有し、該前面枠に遊技盤が取り付けられて構成されている。また、遊技盤の裏面側には、合成樹脂等で形成された機構板が取り付けられ、該機構板に景品玉を貯留するための玉タンク等やその景品玉が通過するための導出樋等が形成されている。尚、前面枠等には、遊技に関して各種演出を行うべくランプやスピーカが配設されている。
【０００３】
ところで、パチンコ遊技機の背面側（即ち、遊技盤の裏面や機構板等）には、遊技内容を制御するための主基板が配設されており、かかる主基板に当該パチンコ遊技機に設置されたランプを制御するためのランプ制御基板、及びスピーカの出力を制御するための音声制御基板が接続されていた。これら基板は、それぞれ別個の収容ケースに収容されるとともに、主基板とランプ制御基板又は音声制御基板とを結ぶ配線により電気的な接続が図られていた。
【０００４】
然るに、上記基板は、パチンコ遊技機の機種への依存度が極めて高く、遊技盤を交換する際には必ず交換されるべきものであるにもかかわらず、別々の位置にそれぞれ取り付けられていたので、基板毎に取り外し及び取り付け作業が必要であり、作業性が悪くなる原因となっていた。こうした事情により、本出願人は、上記基板を単一のユニット内に収容して、遊技盤交換時の作業性向上を図ることを検討するに至った。
【０００５】
【発明が解決しようとする課題】
しかしながら、上記の如く主基板、ランプ制御基板及び音声制御基板をユニット化した場合、以下のような問題があった。即ち、主基板は、その回路を勝手に改造するような不正行為を防止する要請から独立した収容ケースに収容する必要があり、且つ、不正行為が行われたか否かの点検を容易とするべくパチンコ遊技機の背面側から直接見える位置に配設する必要があった。
【０００６】
然るに、上記基板を単一のユニット内に収容する際においても、主基板を収容する収容ケースは独立して、且つ、パチンコ遊技機の背面から見て手前側に配設する必要があるので、主基板を収容する収容ケース（第１収容ケース）とランプ制御基板及び音声制御基板を収容する収容ケース（第２収容ケース）とを別個に容易し、これらを上下に積層して一体化することが考えられる。
【０００７】
ここで、主基板の占有面積は、一般的にランプ制御基板と音声制御基板との表面の面積を合わせたものよりも大きく形成されているため、収容すべきそれぞれの基板の大きさに合わせた収容ケースを上下に積層させると下層の方が小さくなって一体化を確実に行い得ず、不安定なユニットとなってしまう一方、第２収容ケースの上面が第１収容ケースの下面と略同一面積となるように各収容ケースの大きさを設定すると、当該第２収容ケースが必要以上に大きくなってデッドスペースが増大してしまい、その分製造コストも悪化してしまうという不具合が生じ得る。
【０００８】
本発明は、このような事情に鑑みてなされたもので、遊技盤交換時の作業性を向上させるとともに、平面視で小さな面積の第２収容ケース上に大きな面積の第１収容ケースを安定して積層させ、且つ、小型化して製造コストを低減させ得るパチンコ遊技機を提供することにある。
【０００９】
【課題を解決するための手段】
請求項１記載の発明は、遊技内容を制御する主基板と、前記主基板からの信号に基づいてランプを制御するランプ制御基板と、前記主基板からの信号に基づいてスピーカからの出力を制御する音声制御基板とを備えるとともに、前記主基板、ランプ制御基板及び音声制御基板を一体化された収容ケースに収容しユニットとしたパチンコ遊技機であって、前記収容ケースは、前記主基板を収容する第１収容ケースと、前記ランプ制御基板及び音声制御基板を収容する第２収容ケースとから成り、前記第２収容ケースの一部を延設させるとともに、その延設部を含めた当該第２収容ケース上面を平坦な面とし、当該上面に前記第１収容ケースを積層させて一体化することによりユニットとしたことを特徴とする。
【００１０】
請求項２記載の発明は、請求項１記載のパチンコ遊技機において、前記第２収容ケースは、ランプ制御基板及び音声制御基板を収容する収容空間の底面を成す底板と、当該収容空間を上方から覆う上面板とを有し、前記底板を延設させて延設部を形成し、該延設部が前記上面板の上面と略平面状に形成されたことを特徴とする。
【００１１】
請求項３記載の発明は、請求項１又は請求項２記載のパチンコ遊技機において、前記延設部を含めた前記第２収容ケース上面には、前記第１収容ケースを積層状態にて係止する係止部材が設けられたことを特徴とする。
【００１２】
【発明の実施の形態】
以下、本発明の実施形態について図面を参照しながら具体的に説明する。
本実施形態に係るパチンコ遊技機は、図１及び図２で示すように、機枠１に対して開閉可能に取り付けられた前面枠２を有し、該前面枠２には開閉可能なガラス枠３が形成されている。かかるガラス枠３内には、遊技盤４が固定されており、その表面には種々の役物や複数の釘、或いは液晶表示部（いずれも不図示）等が形成されている。
【００１３】
液晶表示部は、図２における液晶用収容ケース５（遊技盤４の裏面側から固定）内に収容されつつ、その画面が遊技盤４の開口から前面側に臨んで配設され、遊技者に各種の液晶表示を行っている。また、液晶用収容ケース５内には、液晶表示部を制御する図柄制御基板も収容されており、この図柄制御基板により当該液晶表示部で表示すべき図柄等を制御している。
【００１４】
更に、遊技における演出効果を高めるべく、前面枠２或いは遊技盤４の前面側には、不図示のランプ（例えば大当たりＬＥＤや遊技盤ランプ等）やスピーカ６が配設されている。即ち、遊技状態に応じて、ランプの点灯又は点滅やスピーカ６からの出力が行われ、各種の演出がなされるのである。このようなランプ及びスピーカ６の制御は、ランプ制御基板及び音声出力基板により行われる。
【００１５】
これらランプ制御基板及び音声出力基板は、図８に示すように、主基板に電気的に接続された図柄制御基板と電気的に接続されており、該主基板からの制御信号に基づく図柄制御基板からの所定の制御信号に基づき制御され得るよう構成されている。かかる主基板は、パチンコ遊技機全般に亘る遊技内容を制御するもので、ＣＰＵ、ＲＡＭ及びプログラムＲＯＭといった構成要素を備えたものである。
【００１６】
そして、主基板から図柄制御基板に所定の信号が送信されると、液晶表示部に表示すべき図柄の制御が行われるとともに、図柄制御基板からランプ制御基板及び音声制御基板に所定の信号が送信され、ランプ中継基板を介して所望のランプが点灯又は点滅するとともに、スピーカ６から所望の出力が得られるようになっている。尚、主基板は、始動口スイッチと電気的に接続されており、そこからの検出信号に基づいて主基板が所定動作を行い得るようになっている。
【００１７】
上記基板のうち図柄制御基板は、既述の如く液晶用収容ケース５内に収容されて遊技盤４の裏面に固定される一方、他の基板である主基板、ランプ制御基板及び音声制御基板は、一体のユニット７内に収容されて遊技盤４の裏面側に配設された機構板８に固定される。
【００１８】
尚、機構板８には、図２に示すように、景品玉を貯留するための玉タンク９、その景品玉が通過するための導出樋１０或いは払出カセット１１等が配設されるとともに、払出制御基板を収容した払出制御基板用ケース１２、及び発射制御基板を具備した発射装置ユニット１３等が配設されている。また、ユニット７と機構板８との間には、電源基板を収容した電源基板用ケース１６が介装されている。
【００１９】
ユニット７は、透明な合成樹脂を所定形状に成形した２つのケースから成り、図３で示すように、主基板を収容する第１収容ケース１４と、ランプ制御基板及び音声制御基板を収容する第２収容ケース１５とを上下に積層させた状態にて一体化させて構成されている。かかる第１収容ケース１４及び第２収容ケース１５内に収容された主基板、ランプ制御基板及び音声制御基板は、パチンコ遊技機の機種への依存性が極めて高く、遊技盤を交換する際には必ず交換されるべきものである。
【００２０】
第２収容ケース１５は、図４で示すように、内部にランプ制御基板及び音声制御基板を収容可能な空間を有する収容部１５ａと、該収容部１５ａの下面を延設させると共に表面が収容部１５ａの上面と同じ高さとなるまで屈曲形成して構成された案内部１５ｂとから成り、これにより案内部１５ｂと収容部１５ａとの上面が略平坦な面とされている。該平坦面に第１収容ケース１４が載置されることとなる。
【００２１】
また、第２ケース１５の案内部１５ｂ側部には、上方に突出した一対の凸条部１５ｂａが形成されており、それぞれから対向する方向にリブ１５ｂｂが形成されている。更に、案内部１５ｂにおける同図右側中央近傍には、一端が案内部１５ｂの上面から突出した係止爪１５ｂｃが形成されるとともに、収容部１５ａにおける同図左側端面からは、ストッパ部１５ａａが突出形成されている。
【００２２】
また更に、案内部１５ｂの同図下端面からは、下方に向かってリブ１５ｂｄが形成されるとともに、収容部１５ａにおける左側端面にはストッパ部１５ａａと高さを違えて一対のリブ１５ａｂが形成されている。尚、符号１５ｂｅは、案内部１５ｂにおける同図右側上部に突出形成されて外部接続端子基板（不図示）を載置するための部位を示している。また、収容部１５ａと案内部１５ｂとの間の部位には、配線Ｈを保持し得るダクト形状部１７が形成されている。
【００２３】
上記ストッパ部１５ａａ、リブ１５ｂｂ及び係止爪１５ｂｃは、本発明における係止部材を構成している。尚、係止部材は、本実施形態のものに限定されず、第２収容ケース１５上面に第１収容ケース１４を積層状態にて係止することができる部材であれば他のものであってもよい。
【００２４】
ここで、第２収容ケース１５の構成について更に具体的に説明する。第２収容ケース１５は、図５で示すように、底板１５ｃ、上面板１５ｄ及び蓋板１５ｅで構成されており、底板１５ｃが収容部１５ａから案内部１５ｂに亘って延設されるとともに、その中央近傍の上部を蓋板１５ｅが塞ぐことによりダクト形状部１７が造り込まれている。
【００２５】
上面板１５ｄは、底板１５ｃの収容部１５ａ側の上方を覆い、ランプ制御基板及び音声制御基板を収容する収容空間を形成するもので、その上部にストッパ部１５ａａが突出形成されるとともに、リブ１５ａｂ（図４参照）が側方に突出形成されている。また、ストッパ部１５ａａが形成された側面と対向する面には、貫通孔１５ｄａが形成されており、該貫通孔１５ｄａが収容部１５ａにおける収容空間とダクト形状部１７とを連通している。
【００２６】
底板１５ｃは、収容部１５ａ及びダクト形状部１７に相当する部位において平面状に形成されるとともに、案内部１５ｂに相当する部位おいても平面状に形成されており、これら平面状部位が互いに高さを違えているようダクト形状部１７と案内部１５ｂとの間に段差がある。この段差は、案内部１５ｂ側の上面が上面板１５ｄの上面と略等しくなるよう寸法が設定されている。
【００２７】
また、上面板１５ｄと底板１５ｃの案内部１５ｂに相当する部位との間には、蓋板１５ｅがネジＮによって取り付けられてダクト形状部１７を形成するとともに、該蓋板１５ｅの上面と、上面板１５ｄの上面及び底板１５ｃの案内部１５ｂに相当する部位の上面とが平面状となるよう構成されている。従って、形成される平面（即ち、第２収容ケース１５の上面）上を第１収容ケース１４がスライドし得るようになっている。
【００２８】
即ち、第２収容ケース１５における底板１５ｃの一部が延設して、その延設部が案内部１５ｂを成すとともに、該延設部を上面板１５ｄの上面と略平面状とすることにより、当該延設部を含めた第２収容ケース１５上面に第１収容ケース１４を積層させて一体化可能とされているのである。これにより、平面視で小さな面積の第２収容ケース１５上に大きな面積の第１収容ケース１４を安定して積層させ、且つ、小型化して製造コストを低減させ得る。
【００２９】
また、底板１５ｃの一部を延設して、上面板１５ｄの上面と略平面状の案内部１５ｂを形成しているので、上面板１５ｄの開閉が上面板１５ｄの脱着により行うことができ、第２収容ケース１５へのランプ制御基板及び音声制御基板の収容を容易とすることができる。尚、本実施形態においては、底面板１５ｃの一部を延設して案内部１５ｂを形成しているが、第２収容ケースの他の部位を延設して当該案内部１５ｂを形成するようにしてもよい。
【００３０】
一方、第１収容ケース１４は、図６に示すように、底面板１４ａ及び上面板１４ｂを合致させて内部に主基板を収容するための収容空間を成しているとともに、第２収容ケース１５上に載置可能とすべく底面板１４ａの下面が略平坦とされている。底面板１４ａ及び上面板１４ｂの同図右端からは、それぞれ突出部１４ｃが延出されており、両突出部１４ｃをピン状部材１４ｄを挿通させることにより、収容空間を密閉している。
【００３１】
また、第１収容ケース１４における同図右側上下面及び左端面には、リブ１４ｅ及び１４ｆがそれぞれ形成されているとともに、上面から見た場合、収容空間から上方に複数の開口１４ｇが形成されている。かかる開口１４ｇには、収容空間に収容された主基板の端子が外部に臨むこととなり、主基板と他の基板との間の配線を可能としている。
【００３２】
上記第１収容ケース１４は、第２収容ケース１５の上面でスライドして一体化されるよう構成されている。即ち、図７で示すように、第２収容ケース１５の右端側から第１収容ケース１４を近接させ、同図矢印方向にスライドさせると、当該第２収容ケース１５の上面とリブ１５ｂｂとの間に第１収容ケース１４のリブ１４ｅが挿通され、これによりスライド時のガイドがなされる。
【００３３】
かかるスライド時においては、第１収容ケース１４の下面に押されて係止爪１５ｂｃが下方に撓んだ状態となっており、第２収容ケース１５に対する第１収容ケース１４のスライド動作が許容されている。更に、第１収容ケース１４を矢印方向にスライドさせると、リブ１４ｆがストッパ部１５ａａに当接して保持され、更なるスライドが規制されるとともに、係止爪１５ｂｃが復元力により上昇して第１収容ケース１４の右端面を係止して図３の状態とされる。
【００３４】
これにより、第１収容ケース１４と第２収容ケース１５とが積層状態にて確実に一体化され、単一ユニットとしてパチンコ遊技機の機構板８に脱着可能となる。しかして、パチンコ遊技機の機種を入れ替えるに際し、遊技盤４を交換するとき、必ず交換が必要な主基板、ランプ制御基板及び音声制御基板を一括して取り外し及び取り付け作業することができ、作業性を向上させることができる。尚、遊技盤４の交換時には、図柄制御基板も交換する必要があるのでユニット７内に収容するのが理想であるが、該図柄制御基板は液晶表示部と近接させて配置する必要上、当該ユニット７内に収容することができない。
【００３５】
更に、単一のユニット７としつつも、第１収容ケース１４にて主基板を独立して密閉させることができるので、当該主基板の不正な改造等を防止することができる。即ち、主基板の回路を勝手に改造してゲームに賭博性を持たせるような不正行為を防止すべく、主基板は独立させて密閉させ、更に封印シール等を貼着させることが行われるのであるが、かかる封印を容易にすることができるのである。
【００３６】
然るに、上記ユニット７を機構板８の上方から下方に向かってスライドさせ、図２で示すように、機構板８に形成されたリブ８ａでリブ１５ａｂを案内させつつ、電源基板用ケース１６の表面に形成された突起部１６ａにリブ１５ｂｄを当接させて係止する。これにより、ユニット７全体が機構板８に固定することとなる。
【００３７】
以上、本実施形態について説明したが、本発明はこれに限定されるものではなく、例えば配線Ｈの取り回しを行っているダクト形状部１７を形成せず、第２収容ケース１５の収容空間から外部に臨んだ貫通孔から配線Ｈを延設するようにしてもよい。また、主基板を収容する第１収容ケース１４とランプ制御基板及び音声制御基板を収容する第２収容ケース１５とを積層状態にて係止して一体化するようにすれば、本実施形態の如くスライドさせてストッパ部１５ａａや係止爪１５ｂｃで係止するものの他、他の係止部材にて一体化してユニットとしてもよい。
【００３８】
尚、ユニット７を電源基板用ケース１６の上側に取り付けているが、これらの位置をずらして、いずれもパチンコ遊技機の背面から見られるようにしてもよい。但し、本実施形態の如き配置にすれば、パチンコ遊技機に対する平面方向の収容ケースの占有面積を小さくすることができ、他の構成要素の設置レイアウトの自由度を向上させることができるので好ましい。
【００３９】
【発明の効果】
請求項１の発明によれば、遊技盤を交換する際に必ず交換が必要な主基板、ランプ制御基板及び音声制御基板を一体化された収容ケース内に収容してユニットとしてので、遊技盤交換時の作業性を向上させるとともに、ランプ制御基板及び音声制御基板を収容した第２収容ケースの一部を延設させて、その延設部に主基板を収容した第１収容ケースを積層させて一体化したので、平面視で小さな面積の第２収容ケース上に大きな面積の第１収容ケースを安定して積層させ、且つ、小型化して製造コストを低減させ得る。
【００４０】
請求項２の発明によれば、第２収容ケースが底板と上面板とから成り、このうち底面板を延設させて延設部を形成し、該延設部が上面板の上面と略平面状とされているので、当該第２収容ケースへのランプ制御基板及び音声制御基板の収容を容易としつつ、平面視で小さな面積の第２収容ケース上に大きな面積の第１収容ケースを安定して積層させ、且つ、小型化して製造コストを低減させ得る。
【００４１】
請求項３の発明によれば、延設部を含めた第２収容ケース上面には、第１収容ケースを積層状態にて係止する係止部材が設けられているので、請求項１及び請求項２の効果を奏しつつ、第２収容ケース上への第１収容ケースの積層状態での一体化を確実に行わせることができる。
【図面の簡単な説明】
【図１】本発明の実施形態に係るパチンコ遊技機を正面側から見た斜視図
【図２】本発明の実施形態に係るパチンコ遊技機を背面から見た模式図
【図３】本発明の実施形態に係るパチンコ遊技機におけるユニットを示す斜視図
【図４】同ユニットを構成する第２収容ケースを示す上面図及び正面図
【図５】同第２収容ケースを示す分解斜視図
【図６】同ユニットを構成する第１収容ケースを示す上面図及び正面図
【図７】同ユニットを構成する第２収容ケースに第１収容ケースを一体化させる前の状態を示す模式図
【図８】本発明の実施形態に係るパチンコ遊技機の制御を示すブロック図
【符号の説明】
１…機枠
２…前面枠
３…ガラス枠
４…遊技盤
５…液晶用収容ケース
６…スピーカ
７…ユニット
８…機構板
９…玉タンク
１０…導出樋
１１…払出カセット
１２…払出制御基板用ケース
１３…発射装置ユニット
１４…第１収容ケース
１５…第２収容ケース
１５ａ…収容部
１５ａａ…ストッパ部（係止部材）
１５ｂ…案内部（延設部）
１５ｂｂ…リブ（係止部材）
１５ｂｃ…係止爪（係止部材）
１５ｃ…底板
１５ｄ…上面板
１６…電源基板用ケース
１７…ダクト形状部
【図１】
2004081401.tif 000003
【図２】
2004081401.tif 000004
【図３】
2004081401.tif 000005
【図４】
2004081401.tif 000006
【図５】
2004081401.tif 000007
【図６】
2004081401.tif 000008
【図７】
2004081401.tif 000009
【図８】
2004081401.tif 000010